(57)【要約】
【課題】　携帯電話だけでなくキーその他の各種の小物を、不時の落下事故をおこすことなく確実に腰ベルト部に保持することができ、腰ベルトへの着脱を片手操作で容易におこなうことができる携帯電話等の小物用保持具を提供する。
【解決手段】　線材２を屈曲成形して成るクリップ３であって、所定の左右巾寸法を有するループ状部４から上方に延びる内側杆部５の上部に、ループ状部４を含む平面に対してほぼ直交する直交平面内において下向きに屈曲した外側杆部６を連設し、この外側杆部６と内側杆部５およびループ状部４との間に、腰ベルトＢが嵌脱される下向きの開口部７を形成するとともに、外側杆部６の下部に、前記直交平面内において外向きに突出した環状部８を設けて成るクリップ３と、クリップ３の環状部８に接続されたナス環１１と、を具備した。
【選択図】　　　図１
0003100471.tif 000002
【実用新案登録請求の範囲】
【請求項１】
　線材を屈曲成形して成るクリップであって、所定の左右巾寸法を有するループ状部から上方に延びる内側杆部の上部に、前記ループ状部を含む平面に対してほぼ直交する直交平面内において下向きに屈曲した外側杆部を連設し、この外側杆部と前記内側杆部および前記ループ状部との間に、腰ベルトが嵌脱される下向きの開口部を形成するとともに、前記外側杆部の下部に、前記直交平面内において外向きに突出した環状部を設けて成るクリップと、
　前記クリップの前記環状部に接続されたナス環と、
　を具備したことを特徴とする携帯電話等の小物用保持具。
【請求項２】
　線材を屈曲成形して成るクリップであって、所定の左右巾寸法を有するループ状部から上方に延びる内側杆部の上部に、前記ループ状部を含む平面に対してほぼ直交する直交平面内において下向きに屈曲した外側杆部を連設し、この外側杆部と前記内側杆部および前記ループ状部との間に、腰ベルトが嵌脱される下向きの開口部を形成するとともに、前記外側杆部の下部に、前記直交平面内において外向きに突出した環状部を設けて成るクリップと、
　前記クリップの前記環状部に挿通された、小物止着用のリングと、
　を具備したことを特徴とする携帯電話等の小物用保持具。
【請求項３】
　前記開口部の開口巾が、前記外側杆部の下端部付近において最も小さくなっている請求項１または２記載の携帯電話等の小物用保持具。
【考案の詳細な説明】
【技術分野】
【０００１】
　この考案は、携帯電話、キー、小型手動工具、部品入りの小型ケース等の、各種小物をズボンのベルトに保持させて携帯するのに用いる小物用保持具に関する。
【背景技術】
【０００２】
　一般に携帯電話は、上衣やシャツの胸ポケット，ズボンのポケットなどに入れて携帯することが多いが、この保持方法だと携帯電話が、上半身を前屈みにした際などに胸ポケットから落ちやすく、また椅子や自動車のシートへの着座時や着座後立上る際などに、ズボンのポケットから落ちやすい。
【０００３】
　そこで上記の落下を防止するものとして、腰ベルトに取付けられるクリップに、携帯電話のストラップ（ハンドストラップ）を保持させる形式の携帯電話保持具が提案されている（たとえば特許文献１および２参照。）。
【特許文献１】特開２０００−２４５５２１号公報（第１−３頁、図１−８、図１１−１４）
【特許文献２】登録実用新案第３０５６１４９号公報（第１−４頁、第１図−第３図）
【０００４】
　ところが上記特許文献１に記載の腰ベルトクリップ式の保持具は、手指でつまみ部を開閉操作して腰ベルトに挟持させるクリップに、ストラップを挟み込む隙間を有する圧着板を設けたもの（上記文献の図１−８参照）、および上記クリップのつまみの一側に設けた２個以上の穴にストラップを通して接続するもの（上記文献の図１１−１４参照）であるため、先ず前者のものは、歩行時等においても携帯電話が落下しないように十分な挟付け力を有する圧着板部の隙間に対して、通話ごとにストラップの引抜きと挟み込みを繰返すため、ストラップが摩滅して切断したり挟持力不足で電話機が落下したりするおそれがある。また後者のものは、通話ごとにクリップを腰ベルトから取外す際に、つまみ部を手指で把持するだけの片手操作では電話機を取落しやすく、通話後のベルトへの挟み付けも同様に片手操作は困難である。
【０００５】
　また上記特許文献２に記載の保持具（ホルダー）は、ベルトに引掛けられるクリップのフック金具に、リングを通し、このリングにストラップ（ハンドストラップ）を通したものであるので、通話時にクリップを腰ベルトから引抜く際に、ストラップを上方へ引張ってクリップを引抜くと、引抜直後の反動でフック金具がリングから脱け出してクリップとストラップが分離してしまい、またその代りにクリップのみを手で把持して腰ベルトから引抜く場合でも、携帯電話の自重で下向きに引張られるリングが、フック金具から外れて携帯電話が落下してしまうので、片手操作は困難である。また通話後にクリップを再度腰ベルトに嵌込む際も、同様にリング（従ってストラップ）がフック金具から外れないように両手を使う必要があり、取扱いが極めて面倒である。
【０００６】
　また上記各特許文献に記載の保持具は、いずれもストラップ付きの携帯電話にしか用いることができず、キーその他のストラップを有しない小物の保持具としては用いることができない。
【考案の開示】
【考案が解決しようとする課題】
【０００７】
　この考案は上記の問題点にかんがみてなされたもので、携帯電話だけでなくキーその他の各種の小物を、不時の落下事故をおこすことなく確実に腰ベルト部に保持することができ、腰ベルトへの着脱を片手操作で容易におこなうことができる携帯電話等の小物用保持具を提供することを目的とする。
【課題を解決するための手段】
【０００８】
　上記目的を達成するために、請求項１記載の携帯電話等の小物用保持具は、線材を屈曲成形して成るクリップであって、所定の左右巾寸法を有するループ状部から上方に延びる内側杆部の上部に、前記ループ状部を含む平面に対してほぼ直交する直交平面内において下向きに屈曲した外側杆部を連設し、この外側杆部と前記内側杆部および前記ループ状部との間に、腰ベルトが嵌脱される下向きの開口部を形成するとともに、前記外側杆部の下部に、前記直交平面内において外向きに突出した環状部を設けて成るクリップと、前記クリップの前記環状部に接続されたナス環と、を具備したことを特徴とする。
【０００９】
　また請求項２記載の携帯電話等の小物用保持具は、線材を屈曲成形して成るクリップであって、所定の左右巾寸法を有するループ状部から上方に延びる内側杆部の上部に、前記ループ状部を含む平面に対してほぼ直交する直交平面内において下向きに屈曲した外側杆部を連設し、この外側杆部と前記内側杆部および前記ループ状部との間に、腰ベルトが嵌脱される下向きの開口部を形成するとともに、前記外側杆部の下部に、前記直交平面内において外向きに突出した環状部を設けて成るクリップと、前記クリップの前記環状部に挿通された、小物止着用のリングと、を具備したことを特徴とする。
【００１０】
　この考案において、「上」側および「下」側は、それぞれこの考案の携帯電話等の小物用保持具（以下、単に小物用保持具という）の使用状態、詳しくはクリップを腰ベルトに掛止した状態での、上下方向の向きを指すものであり、また「内」側および「外」側は、上記腰ベルトの内側および外側に対応する側を指すものである。また「左右」は上記外側から見て上記上下方向に対する左右方向を指すものである。
【００１１】
　この考案の小物用保持具の保持対象となる小物は、携帯電話、キー（鍵）の他、小型カメラ、巻尺やニッパなどの小型手動工具、オモリやハリなどの釣用部品その他の小物部品を収納した小型ケースや小型バッグなど、取付穴を有するものであればよく、その用途や形状・構造等は何ら限定されるものではない。
【００１２】
　この考案の小物用保持具の使用時には、保持対象となる上記小物の上記取付穴に通したリング状の紐，ワイヤ，リング状金具などを、ナス環（請求項１）またはリング（請求項２）に通し、あるいは上記取付穴に上記ナス環またはリングを直接通して、小物とクリップとを連結し、クリップの開口部を腰ベルトに嵌込んでクリップを腰ベルトに掛止させ、このクリップに小物を吊下げた状態で連結保持する。小物の使用時には、小物を連結したままクリップ部を手指で操作して腰ベルトから上方へ取外し、小物使用後はクリップ部を腰ベルトに再度掛止させて保持する。
【００１３】
　クリップの腰ベルトへの掛止状態においては、内側杆部とその下部のループ状部は腰ベルトによってズボン側に圧接され、左右巾を有するループ状部はクリップの鉛直軸線まわりの回動を防止するとともにクリップの上方への脱け出しの抵抗となり、該脱け出しを防止する。また上記ループ状部によって外側杆部の下部の環状部は、ベルト面に対してほぼ直交する方向に外向きに突出した位置に保持されるので、クリップの腰ベルトからの取外し時には、この環状部に手指を掛け、あるいは手指で把持することにより、片手操作で迅速容易に腰ベルト部から取外すことができる。またクリップの腰ベルトへの掛止操作時には、線材を屈曲成形したループ状部は滑らかな外形を有するので、ズボンと腰ベルトの間への挿入に対する抵抗が小さく、また開口部の下端の開口端部は環状部の形成により下方に向って拡がっているので、腰ベルトの開口部内への導入が確実容易におこなえるため、片手操作で迅速容易に腰ベルトへ掛止させることができるのである。
【００１４】
　上記の作用に加えて、請求項１記載の考案においては、クリップと保持対象である小物との接続部にナス環を用いているので、小物の交換や追加を特に迅速容易におこなうことができる。
【００１５】
　またこの考案においてクリップに設ける腰ベルト嵌脱用の開口部としては、たとえば内側杆部と外側杆部を平行として均一開口巾のものとしてもよいが、請求項３記載の考案のように、前記開口部の開口巾が、前記外側杆部の下端部付近において最も小さくなっている構成のものとすれば、この外側杆部の下端部付近により腰ベルトの外側面を圧接し、外側杆部の上部と腰ベルトとの間に隙間を設けることにより、クリップの腰ベルトからの取外しおよび腰ベルトへの掛止操作を、いずれも一層迅速容易におこなえるので、特に好ましい。
【考案の効果】
【００１６】
　この考案によれば、小物をナス環またはリングを介して連結したクリップを、腰ベルトへ係脱させて小物の保持をおこなうようにしたので、小物は使用時にいちいちナス環やリング部に対して脱着する必要はなく、この脱着による取落しなどの不時の落下事故をおこすことなく、携帯電話だけでなくキーその他の各種の小物を確実に腰ベルト部に保持することができる。またループ状部によってベルト面に対してほぼ直交する方向に突出した位置に保持される環状部を利用してクリップは片手操作で迅速容易に腰ベルトから取外すことができるとともに、ループ状部は滑らかな外形を有し開口部の下端の開口端部は下方に向って拡がっているので、クリップの腰ベルトへの掛止も片手操作で迅速容易におこなえ、腰ベルトへの着脱が容易で実用性に優れた携帯電話等の小物用保持具が得られる。
【００１７】
　上記の効果に加えて、請求項１記載の考案によれば、クリップと保持対象である小物との接続部にナス環を用いているので、小物の交換や追加を特に迅速容易におこなうことができる。
【００１８】
　また上記の効果に加えて、請求項３記載の考案によれば、外側杆部の下端部付近により腰ベルトの外側面を圧接し、外側杆部の上部と腰ベルトとの間に隙間を設けることにより、クリップの腰ベルトからの取外しおよび腰ベルトへの掛止操作を、いずれも一層迅速容易におこなえる。
【考案を実施するための最良の形態】
【００１９】
　以下、図１〜図３に示す第１例により、この考案の実施の形態を説明する。図中、１は携帯電話等の小物用保持具（以下、単に小物用保持具という）で、線材２を屈曲成形して成るクリップ３と、このクリップ３の環状部８に接続されたナス環１１とから成る。Ｂは、クリップ３部が掛止される腰ベルトである。線材２としては各種の金属線材を用いることができ、この例では線径約２mmのステンレス線を用いている。
【００２０】
　クリップ３は図２に示す構成を有し、線材２を略三角形状に屈曲成形して所定の左右巾寸法Ｗ（たとえば３０mm）を有するループ状部４を形成し、このループ状部４の頂部中央部から上方に延びる内側杆部５の上部を、ループ状部４を含む平面２１に対してほぼ直交する直交平面２２内において下向きに屈曲成形して外側杆部６を形成し、この外側杆部６と、内側杆部５およびループ状部４との間に、前記腰ベルトＢが嵌脱される下向きの開口部７を形成してある。この例では開口部７の開口巾Ｓは、外側杆部６の下端部付近（下記環状部８の屈曲起点付近）で、最小値Ｓ０となるように、下方に向って狭くなるように成形され、この最小値Ｓ０が腰ベルトＢの厚さより少量小さくなるように設定してある。８は、外側杆部６の下部を前記直交平面２２内において屈曲成形して、外側杆部６から外向きに突出形成した環状部である。
【００２１】
　ナス環１１としては、この例では輪環１２に軸線１３の回りに回動自在に鉤体１４を支持し、鉤体１４の開口部をバネにより付勢されたスライド式の開閉杆１５で閉じる形式のものを用い、輪環１２をクリップ３の環状部８屈曲成形時に該環状部８に通すことにより、ナス環１１はクリップ３と一体に接続されている。
【００２２】
　上記構成の小物用保持具１を携帯電話３０の保持に使用するには、図１に示すように携帯電話３０の取付穴（図示しない）に接続したストラップ（ハンドストラップ）３１の、ジョイント部３１ａより先のリング状を呈する細線部３１ｂを、ナス環１１の鉤体１４内に通して、ナス環１１を介してクリップ３と携帯電話３０とを連結し、クリップ３の環状部８を手指で把持して腰ベルトＢを開口部７内に嵌込むように下向きに押下げて、クリップ３を腰ベルトＢに掛止させ、携帯電話３０を吊下状態で腰ベルトＢにより保持する。このとき開口部７の下端の開口端部７ａが、環状部８の形成により下方に向って拡がっているのに加えて、ループ状部４は滑らかな外形を有しズボンと腰ベルトＢ間への挿入時の抵抗が少ないので、クリップ３は片手操作で迅速容易に腰ベルトＢへ掛止させることができる。
【００２３】
　携帯電話３０の使用時には、手指でクリップ３を上方へ引上げて腰ベルトＢから取外す。このとき図１に鎖線で示すように、人差指３２を環状部８の側面部に、親指３３を外側杆部６の上部側面部に、それぞれ当て、他の指でナス環１１やそれに続くストラップ３１の細線部３１ｂ等を握りながら、クリップ３を矢印Ｒで示す方向に回動操作すれば、クリップ３は簡単に腰ベルトＢから取外すことができる。また環状部８の大きさ等によっては、環状部８を親指３３と人差指３２で把持した状態で上方へ引上げ、あるいは上記と同様に回動操作することによって、クリップ３を腰ベルトＢから簡単に取外すことができる。
【００２４】
　クリップ３は、腰ベルトＢの内側に位置するループ状部４によって、環状部８が腰ベルトＢの表面にし対してほぼ直角方向に突出した状態に保持されているので、上記の環状部８の手指操作による腰ベルトＢからの取外しおよび腰ベルトへの掛止操作を、迅速容易におこなうことができるのである。さらにこの例では、クリップ３の腰ベルトＢへの掛止状態においては、外側杆部６の下端部付近によって腰ベルトＢの外側面が圧接され、外側杆部６の上部と腰ベルトＢとの間には隙間が形成されるので、上記のクリップ３の腰ベルトＢに対する脱着を、一層迅速容易におこなうことができる。
【００２５】
　このように携帯電話３０は常にナス環１１部に連結された状態であり、使用時にいちいちナス環１１部に対して脱着する必要はないので、操作が簡単であるとともに、ストラップ３１の脱着による損耗摩滅や取落し事故をひきおこすことなく、確実に携帯電話３０の保持をおこなうことができるのである。なお上記のストラップ３１の代りに、適当な長さの紐やワイヤでもって携帯電話３０とナス環１１部を連結してもよい。
【００２６】
　次に図４および図５に示す第２例により、この考案の実施の形態を説明する。この例の小物用保持具５１は、前記第１例におけるナス環１１の代りに、リング５２を用いたものであり、その他の構成は第１例の小物用保持具１と同じであるので、図１と同一部分には同一符号を付してそれらの部分の詳細な説明は省略する。
【００２７】
　リング５２としては、この例では差込口部５２ａを有するコイル状弾性材製のものを用い、クリップ３の環状部８にこのリング５２を通してクリップ３に一体に接続してある。
【００２８】
　上記構成の小物用保持具５１をキーホルダーとして使用するには、図４および図５に示すように、キー６０の取付穴６１に通した８字形の連結金具６２をリング５２に通して、リング５２を介してキー６０をクリップ３に連結し、前記第１例と同様にクリップ３を腰ベルトＢに掛止させて、キー６０を吊下状態で腰ベルトＢにより保持する。なお図６に示すように、ポケットＰの位置によってはキー６０をポケットＰに入れた状態で保持すれば、複数本のキー６０を吊下げる場合でも騒音を発することなく保持できる。
【００２９】
　キー６０の使用時にはクリップ３を腰ベルトＢから取外す点は第１例と同じであり、クリップ３の腰ベルトＢへの着脱が片手操作で迅速容易におこなえる点も第１例と同様である。なお上記の連結金具６２としては、リング状のものなどを用いてもよいし、キー６０の本数などによってはリング５２をキー６０の取付穴６１に直接通してもよい。
【００３０】
　この考案は上記各例に限定されるものではなく、たとえばクリップ３のループ状部４は、楕円形状、円形状、略四角形状など、上記以外のループ形状としてもよい。またナス環１１としては、軸線１３のまわりに回動しない形式のものや、開口部を揺動杆で開閉する形式のもの、一枚の弾性板の折曲成形加工品から成るものなど、他形式のものを用いてもよいし、同様にリング５２も、たとえば中間部に開閉フックをそなえたリングなど、他形式のものを用いてもよい。
【図面の簡単な説明】
【００３１】
【図１】この考案の実施の形態の第１例を示す携帯電話等の小物用保持具の側面図（ａ）および正面図（ｂ）である。
【図２】図１におけるクリップの側面図（ａ）および背面図（ｂ）および平面図（ｃ）である。
【図３】図１の小物用保持具の使用状態を示す斜視図である。
【図４】この考案の実施の形態の第２例を示す図１相当図である。
【図５】図４の小物用保持具の使用状態を示す斜視図である。
【符号の説明】
【００３２】
　１…携帯電話等の小物用保持具、２…線材、３…クリップ、４…ループ状部、５…内側杆部、６…外側杆部、７…開口部、８…環状部、１１…ナス環、２１…平面、２２…直交平面、３０…携帯電話、３１…ストラップ、５１…携帯電話等の小物用保持具、５２…リング、６０…キー、６２…連結金具、Ｂ…腰ベルト。
【図１】
0003100471.tif 000003
【図２】
0003100471.tif 000004
【図３】
0003100471.tif 000005
【図４】
0003100471.tif 000006
【図５】
0003100471.tif 000007